(57)【要約】【課題】前述の照明器具における落下防止機構の引掛金具はカバー体と別体に形成して、該カバー体に固着したものであるため、落下防止機構を構成するためには照明器具に引掛金具を別途設ける必要があり、部品点数が増大してコストの上昇を招いていた。【解決手段】天井に取り付けられる器具本体１１に、取付部材１３によりカバー体２１が装着され、該カバー体２１の落下を防止するための落下防止機構３５を備える照明器具１であって、該落下防止機構３５は、カバー体２１に一体成型される爪部材２３ａと、器具本体１１に設けられ該爪部材２３ａを係止可能な係止部材１２とで構成され、前記器具本体１１及びカバー体２１は平面視にて略方形であり、カバー体２１は合成樹脂にて成型され、取付部材１３は器具本体１１の対向位置に一対又は複数対設けられ、係止部材１２は一対の取付部材１３を結ぶ方向と直交する方向に配置される。【選択図】      図１
2004227812.tif 000002
【特許請求の範囲】
【請求項１】
天井に取り付けられる器具本体に、取付部材によりカバー体が装着され、該カバー体の落下を防止するための落下防止機構を備える照明器具であって、
該落下防止機構は、カバー体に一体的に形成される爪部材と、器具本体に設けられ該爪部材を係止可能な係止部材とで構成されることを特徴とする照明器具。
【請求項２】
前記器具本体及びカバー体は平面視にて略方形であり、カバー体は合成樹脂にて成型され、取付部材は器具本体の対向位置に一対又は複数対設けられ、係止部材は一対の取付部材を結ぶ方向と直交する方向に配置されることを特徴とする請求項１に記載の照明器具。
【請求項３】
前記器具本体及びカバー体は平面視にて略円形であり、カバー体は合成樹脂にて成型され、取付部材は器具本体の周縁部における複数位置に設けられ、係止部材は何れか２箇所の取付部材間に配置されることを特徴とする請求項１に記載の照明器具。
【請求項４】
前記爪部材は、カバー体の開口縁部から水平方向内側へ突出する突起であり、前記係止部材は、爪部材の両側方及び下方をガイド可能であることを特徴とする請求項１乃至請求項３の何れかに記載の照明器具。
【請求項５】
前記係止部材は、線状部材を屈曲して形成され、器具本体から垂下され爪部材の両側に配置されるサイドガイド部と、サイドガイド部よりも外側に配置されカバー体を係止可能な落下防止部とで構成されることを特徴とする請求項４に記載の照明器具。
【請求項６】
前記器具本体における係止部材の配置位置と対向する位置に、カバー体をガイドするガイド部材を設けたことを特徴とする請求項１乃至請求項５の何れかに記載の照明器具。
【請求項７】
前記係止部材とガイド部材とは、同一部材で構成され、且つ同一姿勢で配置されていることを特徴とする請求項６に記載の照明器具。
【請求項８】
前記係止部材とガイド部材とは、該係止部材とガイド部材とを結ぶ線と直交する方向の配置位置が互いに異なることを特徴とする請求項６又は請求項７に記載の照明器具。
【請求項９】
前記カバー体における、該カバー体を構成する成型前の合成樹脂素材の短手方向に相当する辺に前記取付部材を配置し、長手方向に相当する辺に前記爪部材を配置したことを特徴とする請求項２に記載の照明器具。
【請求項１０】
天井に取り付けられる器具本体に、取付部材によりカバー体が装着され、該カバー体の落下を防止するための落下防止機構を備える照明器具であって、
器具本体及びカバー体は平面視にて略方形であり、
落下防止機構は、カバー体の取付枠部と、器具本体に設けられ該取付枠部を係止可能な係止部材とで構成され、
前記係止部材は、器具本体から垂下される一対のサイドガイド部と、一対のサイドガイド部を連結しカバー体を係止可能な落下防止部とで構成され、
サイドガイド部は、係止部材が配置される辺と直交する辺の取付枠部をガイド可能であることを特徴とする照明器具。
【請求項１１】
天井に取り付けられる器具本体に、取付部材によりカバー体が装着され、該カバー体の落下を防止するための落下防止機構を備える照明器具であって、
器具本体及びカバー体は平面視にて略円形であり、
取付部材は器具本体の周縁部における複数位置に設けられ、
落下防止機構は、カバー体の取付枠部と、器具本体に設けられ該取付枠部を係止可能な係止部材とで構成され、
前記係止部材は、器具本体から垂下される一対のサイドガイド部と、一対のサイドガイド部を連結しカバー体を係止可能な落下防止部とで構成され、
器具本体における係止部材の配置位置と対向する位置には、カバー体をガイドするガイド部材が設けられることを特徴とする照明器具。
【発明の詳細な説明】
【０００１】
【発明の属する技術分野】
本発明は、器具本体にカバー体を装着した照明器具に関し、特に、そのカバー体の落下防止機構を設けた照明器具に関する。
【０００２】
【従来の技術】
従来から、天井に取り付けられる器具本体に、取付部材によりカバー体が装着されており、該カバー体の落下を防止するための落下防止機構が備えられた照明器具が知られている。
例えば、特許文献１に記載される器具本体では、平面視にて方形に形成される器具本体の一辺部分に支持バネを取り付けるとともに、平面視にて方形に形成されるカバー体の支持バネ配置位置に相当する一辺部分に引掛金具を取り付けて、該支持バネと引掛金具とを係合可能に構成した落下防止機構を備えている。
この落下防止機構により、取付部材が外れてカバー体が落下しそうになると、該支持バネに引掛金具が係止して、カバー体が器具本体に吊り下げられた状態となリ、カバー体の落下が防止される。
【０００３】
【特許文献１】
特開平８−１０２２０６号公報
【０００４】
【発明が解決しようとする課題】
前述の如く構成された落下防止機構の引掛金具は、板金を折り曲げて形成されたものであり、カバー体に固着されている。即ち、引掛金具はカバー体と別体に形成して、該カバー体に固着したものである。
従って、落下防止機構を構成するためには照明器具に引掛金具を別途設ける必要があり、部品点数が増大してコストの上昇を招くことになる。
また、近年、カバー体は、アクリル系樹脂等の合成樹脂の一体成型品で構成されることが多いが、特に大型の照明器具の場合は、カバー体に反りが生じて器具本体とカバー体との間に隙間が生じ、見栄えが悪い外観となってしまう場合があった。さらに、本体とカバー体との間に隙間が生じると、そこから光が漏れたり、虫が照明器具内に侵入し易くなったり、という問題もある。
【０００５】
【課題を解決するための手段】
本発明の解決しようとする課題は以上の如くであり、次に該課題を解決するための手段を説明する。即ち、天井に取り付けられる器具本体に、取付部材によりカバー体が装着され、該カバー体の落下を防止するための落下防止機構を備える照明器具であって、該落下防止機構は、カバー体に一体的に形成される爪部材と、器具本体に設けられ該爪部材を係止可能な係止部材とで構成される。
【０００６】
また、請求項２に記載の如く、前記器具本体及びカバー体は平面視にて略方形であり、カバー体は合成樹脂にて成型され、取付部材は器具本体の対向位置に一対設けられ、係止部材は一対の取付部材を結ぶ方向と直交する方向に配置される。
【０００７】
また、請求項３に記載の如く、前記器具本体及びカバー体は平面視にて略円形であり、カバー体は合成樹脂にて成型され、取付部材は器具本体の周縁部における複数位置に設けられ、係止部材は何れか２箇所の取付部材間に配置される。
【０００８】
また、請求項４に記載の如く、前記爪部材は、カバー体の開口縁部から水平方向内側へ突出する突起であり、前記係止部材は、線状部材を屈曲して形成され、爪部材の両側方及び下方をガイド可能である。
【０００９】
また、請求項５に記載の如く、前記係止部材は、線状部材を屈曲して形成され、器具本体から垂下され爪部材の両側に配置されるサイドガイド部と、サイドガイド部よりも外側に配置されカバー体を係止可能な落下防止部とで構成される。
【００１０】
また、請求項６に記載の如く、前記器具本体における係止部材の配置位置と対向する位置に、カバー体をガイドするガイド部材を設けたことを特徴とする請求項１乃至請求項５の何れかに記載の照明器具である。
【００１１】
また、請求項７に記載の如く、前記係止部材とガイド部材とは、同一部材で構成され、且つ同一姿勢で配置されている。
【００１２】
また、請求項８に記載の如く、前記係止部材とガイド部材とは、該係止部材とガイド部材とを結ぶ線と直交する方向の配置位置が互いに異なる。
【００１３】
また、請求項９に記載の如く、前記カバー体における、該カバー体を構成する成型前の合成樹脂素材の短手方向に相当する辺に前記取付部材を配置し、長手方向に相当する辺に前記爪部材を配置した。
【００１４】
また、請求項１０に記載の如く、天井に取り付けられる器具本体に、取付部材によりカバー体が装着され、該カバー体の落下を防止するための落下防止機構を備える照明器具であって、器具本体及びカバー体は平面視にて略方形であり、落下防止機構は、カバー体の取付枠部と、器具本体に設けられ該取付枠部を係止可能な係止部材とで構成され、前記係止部材は、器具本体から垂下される一対のサイドガイド部と、一対のサイドガイド部を連結しカバー体を係止可能な落下防止部とで構成され、サイドガイド部は、係止部材が配置される辺と直交する辺の取付枠部をガイド可能である。
【００１５】
また、請求項１１に記載の如く、天井に取り付けられる器具本体に、取付部材によりカバー体が装着され、該カバー体の落下を防止するための落下防止機構を備える照明器具であって、器具本体及びカバー体は平面視にて略円形であり、取付部材は器具本体の周縁部における複数位置に設けられ、落下防止機構は、カバー体の取付枠部と、器具本体に設けられ該取付枠部を係止可能な係止部材とで構成され、前記係止部材は、器具本体から垂下される一対のサイドガイド部と、一対のサイドガイド部を連結しカバー体を係止可能な落下防止部とで構成され、器具本体における係止部材の配置位置と対向する位置には、カバー体をガイドするガイド部材が設けられる。
【００１６】
【発明の実施の形態】
次に、本発明の実施の形態を説明する。
図１は本発明の照明器具を示す斜視図、図２は同じく側面断面図、図３は同じく正面断面図、図４は同じく底面図、図５はカバー体が取付部材から外れたときのカバー体の様子を示す側面図、図６はカバー体の爪部材が器具本体の係止部材に係止している状態を示す斜視図、図７はガイド部材を設けた場合と設けない場合とのカバー体の装着状態の違いを示す図、図８はロール状の合成樹脂シートからカバー体が成型される様子を示す図、図９は係止部材とガイド部材との配置位置をずらした照明器具を示す底面図、図１０は器具本体にカバー体を装着した状態で、落下防止部がカバー体に当接するように構成した係止部材を示す側面断面図、図１１はサイドガイド部を直線状（略「Ｉ」字状）に形成した係止部材を示す側面断面図、図１２は係止部材及びガイド部材を幅広に構成した照明器具を示す底面図、図１３は器具本体及びカバー体を平面視にて略円形状に形成した照明器具を示す底面図、図１４は器具本体及びカバー体を平面視にて略円形状に形成した照明器具において、落下防止機構を構成するとともにガイド部材を設けた状態を示す底面図、図１５は器具本体及びカバー体を平面視にて略円形状に形成した照明器具において、落下防止機構を構成するとともにガイド部材を設けた場合に、落下防止機構及びガイド部材と取付部材とを、互いの位相を合わせて配置した状態を示す底面図である。
【００１７】
本発明の照明器具について説明する。図１〜図４に示す照明器具１は、天井面に取り付けられる器具本体１１に、カバー体２１を装着して構成されている。
器具本体１１は平面視にて略方形状に形成され、円環状の蛍光灯等のランプ３１が取り付けられている。
また、器具本体１１の周縁部には、カバー体２１を器具本体１１に装着するための取付部材１３・１３・・・が取り付けられている。
なお、以下の説明においては、便宜上、図２に表されている照明器具１の面を側面とし、図３に表されている照明器具１の面を正面（後面）とする。即ち、図２における左右方向を照明器具１の前後方向とし、図３における左右方向を照明器具１の左右方向とする。
【００１８】
取付部材１３においては、カバー受け部材１３ｂが本体１３ａから外方へ進退可能に突出しており、該カバー受け部材１３ｂがカバー体２１の上端部に形成される取付枠部２２の下面に係止することで、カバー体２１が器具本体１１に装着されている。
取付部材１３は、器具本体１１の対向する２辺の位置に、一対又は複数対設けられている。本実施例では、左右の辺の部分に配置されている。
【００１９】
また、照明装置１には、カバー体２１の落下を防止するための落下防止機構３５が構成されている。
落下防止機構３５は、器具本体１１の２辺に配置される一対又は複数対の取付部材１３を結ぶ方向と直交する方向に配置されている。本実施例では、前後の辺の部分に配置されている。
【００２０】
器具本体１１の前後方向の１辺には、落下防止機構３５を構成する係止部材１２が取り付けられている。
係止部材１２は、線状部材を屈曲して形成されており、器具本体１１から所定間隔を隔てて垂下される左右のサイドガイド部１２ａ・１２ａと、水平方向に横設される落下防止部１２ｂにて構成される。
【００２１】
サイドガイド部１２ａは、下端部が外側に向って屈曲しており、側面視にて略「Ｊ」字状又は略「Ｌ」字状に形成されている。
落下防止部１２ｂは、両サイドガイド部１２ａ・１２ａの先端部に接続されている。
【００２２】
一方、カバー体２１の取付枠部２２における、係止部材１２に対応する位置の１辺には、水平方向内側へ突出する爪部材２３ａが形成されている。
係止部材１２に対応する位置の辺に設けられる爪部材２３ａは、器具本体１１側の係止部材１２とともに、落下防止機構３５を構成している。
【００２３】
カバー体２１を取付部材１３・１３・・・により器具本体１１に装着した状態では、カバー体２１の爪部材２３ａは、両サイドガイド部１２ａ・１２ａの間に位置するとともに、該サイドガイド部１２ａよりも内側に突出している。また、カバー体２１が器具本体１１に装着された状態では、落下防止部１２ｂは爪部材２３ａに対して所定の間隔を隔てて下方に位置しており、該落下防止部１２ｂは爪部材２３ａ及び取付枠部２２の下面に係止していない。
【００２４】
落下防止機構３５が構成される側とは前後逆側における器具本体１１の１辺部分には、前記係止部材１２と同一形状に形成されるガイド部材１６が取り付けられている。
即ち、ガイド部材１６は、線状部材を屈曲して形成されており、器具本体１１から所定間隔を隔てて垂下される左右のサイドガイド部１６ａ・１６ａと、水平方向に横設される連結部１６ｂにて構成される。サイドガイド部１６ａは、下端部が内側に向って屈曲しており、側面視にて略「Ｊ」字状に形成されている。連結部１６ｂは、両サイドガイド部１６ａ・１６ａの先端部に接続されており、サイドガイド部１６ａよりも前後内側に配置されている。
【００２５】
図２に示すように、ガイド部材１６のサイドガイド部１６ａの下端部と、係止部材１２のサイドガイド部１２ａの下端部とは、同一方向に屈曲されており（図２では左側）、ガイド部材１６と係止部材１２とは、同一の部材にて構成されており、それぞれが同一の姿勢で器具本体１１の対向する前後両端部にそれぞれ取り付けられている。
【００２６】
一方、カバー体２１の取付枠部２２における、ガイド部材１６に対応する位置の１辺には、水平方向内側へ突出する爪部材２３ｂが形成されている。
カバー体２１は、合成樹脂シートを圧空成型などすることで構成されており、カバー体２１の本体を成型する際に、同時に爪部材２３ａ・２３ｂも一体的に成型される。
【００２７】
カバー体２１を取付部材１３・１３・・・により器具本体１１に装着した状態では、カバー体２１の爪部材２３ｂは、左右方向では両サイドガイド部１６ａ・１６ａの間に位置している。しかし、爪部材２３ｂは、連結部１６ｂよりも前後外側に位置しており、連結部１６ｂと爪部材２３ｂ及び取付枠部２２とは平面視にて重なっていない。
【００２８】
そして、図５・図６に示すように、取付部材１３・１３・・・により装着されていたカバー体２１が器具本体１１から外れて下方へ落下しようとすると、該カバー体２１の爪部材２３ａ又は取付枠部２２が係止部材１２に係止する。
また、爪部材２３ａと反対側に位置する爪部材２３ｂ又は取付枠部２２は、ガイド部材１６の連結部１６ｂには係止せず、そのまま下方へ落下する。
【００２９】
その結果、カバー体２１は、爪部材２３ｂが形成された側が下方へ回動した状態で、爪部材２３ａが形成された側が係止部材１２に係止して、該係止部材１２に吊着されることになる。
つまり、器具本体１１に装着されていたカバー体２１が外れた場合には、落下防止機構３５を構成する、カバー体２１の爪部材２３ａ又は取付枠部２２と、器具本体１１の係止部材１２とが係止して、カバー体２１が落下することを防止することができる。
【００３０】
このように、カバー体２１は、器具本体１１の係止部材１２に係止する爪部材２３ａを備えているが、該爪部材２３ａはカバー体２１と一体的に成型されているので、例えば、カバー体とは別体に形成された爪部材を該カバー体に取り付けた場合に比べて、部品点数を削減することができてコストダウンを図ることができる。
また、取付枠部２２から内側へ向って突出する爪部材２３ａは、カバー体２１の一辺のある程度の範囲にわたって形成されており（例えば、カバー体２１の一辺の長さをＬ１とすると、爪部材２３ａは長さＬ２だけ形成されている）、該取付枠部２２にリブを形成したかの如く、取付枠部２２を補強することが可能となって、カバー体２１の変形や反りを防止することができる。
カバー体２１に変形や反りが生じると、その変形や反りにより器具本体１１とカバー体２１との間に隙間ができて、外観上見栄えが悪くなったり、光漏れが発生したり、照明器具１内に虫が侵入したりする場合があるが、爪部材２３ａを形成することで、このような不具合の発生を防止することが可能となる。
【００３１】
また、爪部材２３ａと係止部材１２とで構成される落下防止機構３５は、器具本体１１の左右の２辺に設けられる取付部材１３・１３を結ぶ方向と直交する方向に配置されている。
これにより、図６に示すように、取付部材１３・１３を外せば、器具本体１１に装着されていたカバー体２１を、その一側が係止部材１２により吊り下げられた状態で大きく開くことができ、ランプ３１の交換作業を容易に行うことができる。
【００３２】
また、前記爪部材２３ａは、カバー体２１の取付枠部２２から水平方向内側へ突出する突起であり、係止部材１２は、側面視略「Ｊ」字状のサイドガイド部１２ａ・１２ａ及びこれらを連結する落下防止部１２ｂにて構成されており、爪部材２３ａの両側方及び下方をガイド可能となっている。
従って、係止部材１２は、カバー体２１を吊り下げるだけでなく、カバー体２１の左右位置決めを行うことも可能となっている。
即ち、カバー体２１を器具本体１１に装着する際に、該爪部材２３ａを係止部材１２に差し込むことで、サイドガイド部１２ａ・１２ａによりカバー体２１の左右方向の位置決めを行うことができ、カバー体２１の装着作業を容易にすることができる。
【００３３】
そして、係止部材１２は、線状部材を屈曲してサイドガイド部１２ａ・１２ａ及び落下防止部１２ｂを形成しているので、係止部材１２を簡単かつ安価に構成することができる。
さらに、サイドガイド部１２ａ・１２ａは外側に屈曲した側面視略「Ｊ」字形状に形成されて、落下防止部１２ｂはサイドガイド部１２ａ・１２ａよりも外側に配置されているので、カバー体２１を器具本体１１に装着した際に、落下防止部１２ｂが爪部材２３ａ又は取付枠部２２の下方に位置することとなって、カバー体２１の落下を確実に防止することができる。
【００３４】
前述のように、前記係止部材１２は器具本体１１の一辺に設けられており、その一辺と対向する他の一辺に、係止部材１２と同一部材で形成されるガイド部材１６が同じ姿勢で設けられている。
ここで、例えば、図７（ａ）に示すように、係止部材１２が器具本体１１の一辺に設けられているのみで、ガイド部材１６を設けられていないと、カバー体２１が器具本体１１に対して前後方向にずれた状態で取り付けられようとした場合、一部の取付部材１３がカバー体２１と係止した状態で、カバー体２１が器具本体１１に装着され得る（例えば図７（ａ）では、カバー体２１が係止部材１２側にずれており、図７（ａ）における右側の取付部材１３がカバー体２１と係止している。）。
このように、一部の取付部材１３が係止した状態でカバー体２１が器具本体１１に装着された状態になっていると、カバー体２１が器具本体１１から脱落しやすいため好ましくない。
【００３５】
これに対し、図７（ｂ）に示すように、本案照明器具１のように、ガイド部材１６を設けていると、カバー体２１が器具本体１１に対して前後方向にずれた状態で取り付けられようとした場合には、ガイド部材１６のサイドガイド部１６ａ・１６ａは取付枠部２２付近から内側へ屈曲しているので、ガイド部材１６がカバー体２１の取付枠部２２等に当接して、取付部材１３がカバー体２１と係止せず、該カバー体２１を器具本体に装着することができない。
従って、一部の取付部材１３が係止した脱落し易い状態でカバー体２１が器具本体１１に装着されることを防止することができる。
【００３６】
また、ガイド部材１６は、係止部材１２と同一部材にて構成され、サイドガイド部１６ａ・１６ａを備えているため、図４などに示すように、爪部材２３ｂの両側方をサイドガイド部１６ａ・１６ａによりガイドすることができる。
従って、カバー体２１を器具本体１１に装着する際には、該カバー体２１の一辺側を係止部材１２によりガイドするだけでなく、対向する他の一辺側をもガイド部材１６によりガイドすることができ、カバー体２１装着時の左右の位置決めを確実且つ正確に行うことができる。
また、係止部材１２とガイド部材１６とを共通の部材で構成することができるので、部品点数を削減して低コスト化を図ることができる。
【００３７】
また、合成樹脂にて構成されるカバー体２１は、前述の如くシート状の合成樹脂を成型することにより得られる。具体的には図８（ａ）に示すように、ロール状に巻き取られた合成樹脂シート５５を所定の長さに切断して、熱を加えて柔らかくした後、図８（ｂ）に示すように、型材５６・５６にて成型し冷却することで、図８（ｃ）のようにカバー体２１が形成される。
【００３８】
この、カバー体２１を成型するための合成樹脂素材である合成樹脂シート５５は、短手方向（図８（ａ）におけるＸ方向）にはあまり反りが発生しないが、長手方向（図８（ａ）におけるＹ方向）に反りが発生することがある。
この反りは、合成樹脂シート５５から成型されたカバー体２１にも残留し、例えば、合成樹脂シート５５のＹ方向がカバー体２１の爪部材２３ａ・２３ｂが形成される辺に相当する場合には、爪部材２３ａ・２３ｂが形成される辺に上下方向の反りが発生することとなる。
【００３９】
カバー体２１の各辺に反りが発生した場合、その反りが取付部材１３・１３・・・に係止される辺に発生していたときには、その反りにより器具本体１１とカバー体２１との間に隙間ができて、外観上見栄えが悪くなったり、光漏れが発生したり、照明器具１内に虫が侵入したりする場合がある。
また、反りによりカバー体２１と器具本体１１との間に隙間が生じて、取付部材１３のカバー受け部材１３ａがカバー体２１を係止することができずに、該カバー体２１を器具本体１１に装着することができなくなってしまう場合もある。
これに対し、反りが爪部材２３ａ・２３ｂが形成される辺に発生していたときは、特にカバー体２１を装着することに対して障害となることはない。
【００４０】
また、本照明器具１においては、反りが生じ易い合成樹脂シート５５のＹ方向が、カバー体２１の爪部材２３ａ・２３ｂが形成される辺に相当するように、成型時の合成樹脂シート５５の成型方向を定めている。
即ち、カバー体２１における、合成樹脂シート５５のＸ方向（短手方向）に相当する辺に取付部材１３・１３・・・を配置し、Ｙ方向（長手方向）に相当する辺に爪部材２３ａ・２３ｂを配置している。
このように構成することで、カバー体２１の器具本体１１への装着不良が低減し、カバー体２１が確実に装着されることとなる。
【００４１】
また、本実施例では、器具本体側の係止部材１２及びカバー体２１側の爪部材２３ａ、並びに器具本体側のガイド部材１６及びカバー体２１側の爪部材２３ｂは、それぞれ器具本体１１の左右中心位置に配置されているため、カバー体２１を、前後方向を逆にして取り付けることも可能である。
しかし、カバー体２１の一辺側とそれに対向する他辺側とで異なる特性を具備させた場合など、カバー体２１の一辺側と他辺側とが逆に取り付けられることが望ましくない場合は、図９に示すように、係止部材１２及び爪部材２３ａと、ガイド部材１６及び爪部材２３ｂとの照明器具１に左右位置を互いにずらして配置することができる。
【００４２】
つまり、互いに異なる左右位置にずらして配置するとは、係止部材１２及び爪部材２３ａと、ガイド部材１６及び爪部材２３ｂとを結ぶ線と直交する方向の配置位置を、互いに異ならせるということである。
このように左右位置をずらして配置することで、カバー体２１は一方向にしか装着することができず、取付方向を誤ることがない。
【００４３】
また、本実施例においては、取付枠部２２がカバー体２１の本体と一体的に形成されているため、取付枠部２２に一体的に形成される爪部材２３ａ・２３ｂも、カバー体２１の本体と一体的に形成されているが、次のような場合でも、本例の場合と同様の効果を奏することができる。
例えば、合成樹脂にて構成される本体に、装飾用の木枠を取付枠部として取り付けたカバー体の場合は、木枠に内側へ突出する爪部材を一体的に形成して、この木製の爪部材にて落下防止機構を構成することができる。
このように、木枠に一体的に爪部材を形成することで、器具本体１１の係止部材１２に係止する爪部材を、金具などで別途形成する必要がなく、部品点数を減少してコストダウンを図ることができる。
【００４４】
また、図１０に示すように、前述の係止部材１２は上下方向の寸法を短く構成して、器具本体１１にカバー体２１を装着した状態で、落下防止部１２ｂがカバー体２１の取付枠部２２又は爪部材２３ａの下面に当接するように構成することもできる。
この場合は、器具本体１１にカバー体２１を装着した状態で、係止部材１２とカバー体２１との間には上下に隙間がなく、係止部材１２によりカバー体２１を支持していることとなる。
従って、カバー体２１の爪部材２３ａが形成されている辺に反りが発生していたとしても、その反りを係止部材１２により抑え込むことができ、器具本体１１とカバー体２１との間に隙間が生じることを防止できる。
【００４５】
また、図１１に示すように、係止部材１２とカバー体２１との間に上下隙間を無くして、器具本体１１にカバー体２１を装着した状態で、係止部材１２によりカバー体２１を支持する場合は、係止部材１２のサイドガイド部１２ａを直線状（略「Ｉ」字状）に形成してもよい。
このような形状にすることで、係止部材１２の形成を容易にすることができ、コスト低減を図ることもできる。
【００４６】
また、図１２に示すように、前述の係止部材１２及びガイド部材１６を幅広に構成することもできる。
即ち、係止部材１２及びガイド部材１６の左右幅を、カバー体２１の一辺の長さ程度まで拡張して構成し、該係止部材１２及びガイド部材１６のサイドガイド部１２ｂ・１６ｂにて、カバー体２１の取付枠部２２における係止部材１２及びガイド部材１６が配置される辺（図１２では水平方向の辺）と直交する辺（図１２では垂直方向の辺）をガイドすることができるようにしている。
この場合は、係止部材１２の落下防止部１２ｂはカバー体２１の取付枠部２２の下面を係止可能であり、サイドガイド部１２ｂ・１６ｂは取付枠部２２の左右の辺をガイド可能であるので、前述のカバー体２１のように、爪部材２３ａ・２３ｂを形成する必要がなく、従来のカバー体と同じカバー体を用いることが可能である。
なお、本実施例の係止部材１２及びガイド部材１６は、線状部材を屈曲して構成されているが、合成樹脂等で構成される板状部材や棒状部材等といった他の部材にて構成することもできる。
【００４７】
また、図１３に示すように、器具本体１１及びカバー体２１が、平面視にて略円形状に形成されている場合でも、略方形に形成した場合と同様に、係止部材１２と爪部材２３ａとで構成される落下防止機構３５を設けることができる。さらに、落下防止機構３５の対向位置にガイド部材１６及び爪部材２３ｂを設けることもできる。
図１３に示す照明器具１の場合、２つ設けられる取付部材１３・１３は互いに対向する位置に配置されており、落下防止機構３５（係止部材１２及び爪部材２３ａ）とガイド部材１６及び爪部材２３ｂとは、取付部材１３・１３を結ぶ線と直交する方向に配置されている。そして、落下防止機構３５は、２つの取付部材１３・１３の間に配置されていることとなっている。
このように、器具本体１１及びカバー体２１が略円形状の場合でも、本案の落下防止機構３５は設けることが可能であり、広汎な仕様の照明器具１に該落下防止機構３５を適用することが可能となっている。
【００４８】
また、図１４に示すように、器具本体１１及びカバー体２１が、平面視にて略円形状に形成されている場合においても、係止部材１２の落下防止部１２ｂはカバー体２１の取付枠部２２の下面を係止可能に構成するとともに、ガイド部材１６にてカバー体２１の取付枠部２２の内周面をガイドするように構成することもできる。
これにより、カバー体２１に爪部材２３ａ・２３ｂを形成することなく、従来のカバー体と同じカバー体を用いつつ、落下防止機構３５を構成するとともに、器具本体１１に対するカバー体２１の位置決めをすることが可能となる。
なお、図１４では、係止部材１２と対向する位置にガイド部材１６が配置され、取付部材１３・１３は、係止部材１２とガイド部材１６とを結ぶ方向と、直交する方向に配置されている。
【００４９】
また、カバー体２１に爪部材２３ａ・２３ｂを形成しないように構成した場合は、図１５に示すように、係止部材１２及びガイド部材１６と、取付部材１３・１３とを、互いに位相を合わせた位置に配置することも可能である。
【００５０】
【発明の効果】
本発明は以上の如く構成したので、次のような効果を奏するのである。即ち、請求項１記載の如く、天井に取り付けられる器具本体に、取付部材によりカバー体が装着され、該カバー体の落下を防止するための落下防止機構を備える照明器具であって、該落下防止機構は、カバー体に一体的に形成される爪部材と、器具本体に設けられ該爪部材を係止可能な係止部材とで構成されるので、
カバー体とは別体に形成された金具などで構成される爪部材を、該カバー体に取り付けた場合に比べて、部品点数を削減することができてコストダウンを図ることができる。
また、内側へ向って突出する爪部材は、カバー体にリブを形成したかの如く、該カバー体を補強することが可能となって、カバー体の変形を防止することができる。
カバー体に変形や反りが生じると、その変形や反りにより器具本体とカバー体との間に隙間ができて、外観上見栄えが悪くなったり、光漏れが発生したり、照明器具内に虫が侵入したりする場合があるが、爪部材を形成することで、このような不具合の発生を防止することが可能となる。
【００５１】
さらに、請求項２記載の如く、前記器具本体及びカバー体は平面視にて略方形であり、カバー体は合成樹脂にて成型され、取付部材は器具本体の対向位置に一対又は複数対設けられ、係止部材は一対の取付部材を結ぶ方向と直交する方向に配置されるので、
取付部材を外せば、器具本体に装着されていたカバー体を、その一側が係止部材により吊り下げられた状態で大きく開くことができ、ランプの交換作業を容易に行うことができる。
【００５２】
さらに、請求項３記載の如く、前記器具本体及びカバー体は平面視にて略円形であり、カバー体は合成樹脂にて成型され、取付部材は器具本体の周縁部における複数位置に設けられ、係止部材は何れか２箇所の取付部材間に配置されるので、
取付部材を外せば、器具本体に装着されていたカバー体を、その一側が係止部材により吊り下げられた状態で大きく開くことができ、ランプの交換作業を容易に行うことができる。
また、広汎な仕様の照明器具１に該落下防止機構３５を適用することが可能となっている。
【００５３】
さらに、請求項４記載の如く、前記爪部材は、カバー体の開口縁部から水平方向内側へ突出する突起であり、前記係止部材は、線状部材を屈曲して形成され、爪部材の両側方及び下方をガイド可能であるので、
該係止部材は、カバー体を吊り下げるだけでなく、カバー体の左右位置決めを行うことも可能である。即ち、カバー体を器具本体に装着する際に、該爪部材を係止部材に差し込むことで、カバー体の左右方向の位置決めを行うことができ、カバー体の装着作業を容易にすることができる。
【００５４】
さらに、請求項５記載の如く、前記係止部材は、線状部材を屈曲して形成され、器具本体から垂下され爪部材の両側に配置されるサイドガイド部と、サイドガイド部よりも外側に配置されカバー体を係止可能な落下防止部とで構成されるので、
係止部材を簡単かつ安価に構成することができる。
また、カバー体を器具本体に装着した際に、落下防止部がカバー体の爪部材又は取付枠部の下方に位置することとなって、カバー体の落下を確実に防止することができる。
【００５５】
さらに、請求項６記載の如く、前記器具本体における係止部材の配置位置と対向する位置に、カバー体をガイドするガイド部材を設けたので、
カバー体が器具本体にずれた状態で取り付けられようとした場合には、ガイド部材がカバー体に当接して、該カバー体を器具本体に装着することができなくなり、一部の取付部材が係止した脱落し易い状態でカバー体が器具本体に装着されることを防止できる。
また、カバー体を器具本体に装着する際には、該カバー体の一辺側を係止部材によりガイドするだけでなく、対向する他の一辺側をもガイド部材によりガイドすることができ、カバー体装着時の左右の位置決めを確実且つ正確に行うことができる。
【００５６】
さらに、請求項７記載の如く、前記係止部材とガイド部材とは、同一部材で構成され、且つ同一姿勢で配置されているので、
係止部材１２とガイド部材１６とを共通の部材で構成することができるので、部品点数を削減して低コスト化を図ることができる。
【００５７】
さらに、請求項８記載の如く、前記係止部材とガイド部材とは、該係止部材とガイド部材とを結ぶ線と直交する方向の配置位置が互いに異なるので、
カバー体を一方向にしか装着することができなくなって、取付方向を誤ることを防止できる。
【００５８】
さらに、請求項９記載の如く、前記カバー体における、該カバー体を構成する成型前の合成樹脂素材の短手方向に相当する辺に前記取付部材を配置し、長手方向に相当する辺に前記爪部材を配置したので、
カバー体の反りによる、カバー体の器具本体への装着不良が低減し、カバー体が確実に装着されることとなる。
【００５９】
さらに、請求項１０記載の如く、天井に取り付けられる器具本体に、取付部材によりカバー体が装着され、該カバー体の落下を防止するための落下防止機構を備える照明器具であって、器具本体及びカバー体は平面視にて略方形であり、落下防止機構は、カバー体の取付枠部と、器具本体に設けられ該取付枠部を係止可能な係止部材とで構成され、前記係止部材は、器具本体から垂下される一対のサイドガイド部と、一対のサイドガイド部を連結しカバー体を係止可能な落下防止部とで構成され、サイドガイド部は、係止部材が配置される辺と直交する辺の取付枠部をガイド可能であるので、
カバー体に爪部材を形成する必要がなく、従来のカバー体と同じカバー体を用いることが可能である。
【００６０】
さらに、請求項１１記載の如く、天井に取り付けられる器具本体に、取付部材によりカバー体が装着され、該カバー体の落下を防止するための落下防止機構を備える照明器具であって、器具本体及びカバー体は平面視にて略円形であり、取付部材は器具本体の周縁部における複数位置に設けられ、落下防止機構は、カバー体の取付枠部と、器具本体に設けられ該取付枠部を係止可能な係止部材とで構成され、前記係止部材は、器具本体から垂下される一対のサイドガイド部と、一対のサイドガイド部を連結しカバー体を係止可能な落下防止部とで構成され、器具本体における係止部材の配置位置と対向する位置には、カバー体をガイドするガイド部材が設けられるので、
器具本体及びカバー体を平面視にて略円形に形成した照明器具に、落下防止機構を構成し、ガイド部材を設けた場合でも、カバー体に爪部材を形成する必要がなく、従来のカバー体と同じカバー体を用いることが可能である。
【図面の簡単な説明】
【図１】本発明の照明器具を示す斜視図である。
【図２】同じく側面断面図である。
【図３】同じく正面断面図である。
【図４】同じく底面図である。
【図５】カバー体が取付部材から外れたときのカバー体の様子を示す側面図である。
【図６】カバー体の爪部材が器具本体の係止部材に係止している状態を示す斜視図である。
【図７】ガイド部材を設けた場合と設けない場合とのカバー体の装着状態の違いを示す図である。
【図８】ロール状の合成樹脂シートからカバー体が成型される様子を示す図である。
【図９】係止部材とガイド部材との配置位置をずらした照明器具を示す底面図である。
【図１０】器具本体にカバー体を装着した状態で、落下防止部がカバー体に当接するように構成した係止部材を示す側面断面図である。
【図１１】サイドガイド部を直線状（略「Ｉ」字状）に形成した係止部材を示す側面断面図である。
【図１２】係止部材及びガイド部材を幅広に構成した照明器具を示す底面図である。
【図１３】器具本体及びカバー体を平面視にて略円形状に形成した照明器具を示す底面図である。
【図１４】器具本体及びカバー体を平面視にて略円形状に形成した照明器具において、落下防止機構を構成するとともにガイド部材を設けた状態を示す底面図である。
【図１５】器具本体及びカバー体を平面視にて略円形状に形成した照明器具において、落下防止機構を構成するとともにガイド部材を設けた場合に、落下防止機構及びガイド部材と取付部材とを、互いの位相を合わせて配置した状態を示す底面図である。
【符号の説明】
１  照明器具
１１  器具本体
１２  係止部材
１２ａ  サイドガイド部
１２ｂ  落下防止部
１３  取付部材
１３ｂ  カバー受け部材
１６  ガイド部材
１６ａ  サイドガイド部
１６ｂ  連結部
２１  カバー体
２２  取付枠部
２３ａ・２３ｂ  爪部材
３５  落下防止機構
５５  合成樹脂シート
【図１】
2004227812.tif 000003
【図２】
2004227812.tif 000004
【図３】
2004227812.tif 000005
【図４】
2004227812.tif 000006
【図５】
2004227812.tif 000007
【図６】
2004227812.tif 000008
【図７】
2004227812.tif 000009
【図８】
2004227812.tif 000010
【図９】
2004227812.tif 000011
【図１０】
2004227812.tif 000012
【図１１】
2004227812.tif 000013
【図１２】
2004227812.tif 000014
【図１３】
2004227812.tif 000015
【図１４】
2004227812.tif 000016
【図１５】
2004227812.tif 000017